【事件の表示】
　平成　５年特許願第２０５２３６号「遊技機」拒絶査定不服審判事件〔平成　７年　２月２８日出願公開、特開平　７−　５１４５５〕について、次のとおり審決する。
【結　論】
　本件審判の請求は、成り立たない。
【理　由】
第１．手続きの経緯・本願発明　
　本願は、平成５年８月１９日の特許出願であって、平成１４年１２月１６日付けで拒絶査定がなされ、これに対し、平成１５年１月２２日に拒絶査定に対する審判請求がなされ、その後、当審において、平成１８年１２月１１日付けで拒絶理由が通知され、これに対し、平成１９年２月９日付けで手続補正がなされたものであり、その請求項１乃至３に係る発明は、上記平成１９年２月９日付け手続補正により補正された特許請求の範囲の請求項１乃至３に記載されたとおりのものと認められるところ、その請求項１に記載された発明は次のとおりのものである。　
　【請求項１】球払い出しユニットを有する払い出し制御装置を備えた遊技機であって、
　前記球払い出しユニットは、内部に複数列の球通路が構成されるユニットベースと、そのユニットベース内において水平方向の軸線回りに回転可能に組み付けられかつ前記複数列の球通路の球をそれぞれ逐一受取って放出する球送り部材と、その球送り部材を回転駆動する出力軸を有する払い出しモータと、を備え、
　前記ユニットベースは、前記複数列の球通路を区画形成する複数の構成部材が分離可能に結合されて構成され、
　前記ユニットベースの複数の構成部材のうち、１つの構成部材には、前記払い出しモータの出力軸が貫挿される金属製の放熱板が当該構成部材と前記払い出しモータとに当接挟持された状態で前記払い出しモータが取り付けられ、
　しかも、前記ユニットベースは、透明合成樹脂材によって構成される一方、前記球送り部材は、不透明合成樹脂材によって形成されていることを特徴とする遊技機。（以下、「本願発明」という。）　
　　　
第２．当審の拒絶理由
　当審において、上記平成１８年１２月１１日付けで通知した拒絶理由の概要は、本願発明は、特開平１−３０８５８１号公報に記載された発明及び周知・慣用の技術（実願昭５７−１４３４５０号（実開昭５９−５０５５７号）のマイクロフイルムに記載された発明、及び実願昭６２−８４５６号（実開昭６３−１１７２６２号）のマイクロフイルムに記載された発明）に基づいて当業者が容易に発明をすることができたものであるから、特許法第２９条第２項の規定により特許を受けることができない、というものである。
　
第３．刊行物に記載された発明　
　当審の拒絶理由通知に引用され、本願出願前に頒布された、特開平１−３０８５８１号公報（以下、「引用刊行物１」という。）の、　
　（１ａ）公報第３頁左下欄第１行乃至第４頁左上欄第２０行には、　
「次に、第６図を参照してパチンコ遊技機１の背面構造について説明する。図において、パチンコ遊技機１の裏面には、前記遊技盤２の裏面全体を覆うように機構板１８が配設されている。この機構板１８は、周知のように、入賞玉を１個づつ処理し、その入賞玉に対応して所定個数の景品玉を払い出すための各種の機構が設けられるものである。・・・一方、機構板１８の後面側には、その上部に図示しない補給機構から補給される景品玉を貯留する景品玉タンク２１が設けられ、該景品玉タンクの下方に景品玉を整列させて流下させる景品玉誘導樋２２が設けられている。・・・景品玉誘導樋２２の下流には、景品玉の流下方向を１８０度変更すると共に、その玉圧を弱めるカーブ樋２５が接続されている。・・・
　カーブ樋２５の下流側は、垂直状の供給樋２８を構成し、この供給樋２８には、１回の払出動作によって払い出される景品玉数よりもやや多い数の景品玉が貯留されるようになっている。また、供給樋２８の流下端には、この実施例の要部である景品玉払出装置２９が接続されている。なお、供給樋２８は、景品玉払出装置２９の供給通路の一部を構成している。
　景品玉払出装置２９は、主として供給通路３４ａ、３４ｂと、排出通路３６ａ、３６ｂと、ステッピングモータ４１と、スプロケット４３ａ、４３ｂとから構成されており、ステッピングモータ４１の回転により所定個数の景品玉を払い出すようになっている。その構成については、後に詳述する。
　景品玉払出装置２９の下方には、該装置２９から払い出された景品玉を誘導する景品玉排出樋５２が設けられ、該景品玉排出樋５２の下端には、誘導開口５３が開設されて前記打球供給皿１５と連通するようになっている。・・・」と、
　（１ｂ）公報第４頁左下欄第４行乃至第２０行には、　
「景品玉払出装置２９は、第２図に示すように、前記機構板１８に取り付ける取付板３０と、該取付板３０と所定間隔置いて配置される通路区画板３１と、該通路区画板３１と所定間隔置いて配置される通路カバー板３２とから構成される。すなわち、取付板３０に突設された取付用ボス４９ａ〜４９ｇに通路区画板３１に穿設された貫通穴５０ａ〜５０ｇを嵌入固定し、その後、通路カバー板３２に突設された取付部５１ａ〜５１ｇを対応させて図示しないビスで螺着することにより一体的に固定される。
　前記取付板３０と通路カバー板３２には、供給通路３４ａ、３４ｂを構成する供給通路構成壁３３ａ〜３３ｄが垂直状に突設されている。また、供給通路構成壁３３ａ〜３３ｄに連続して「Ｊ」字状の排出通路構成壁３５ａ〜３５ｄも突設されて排出通路３６ａ、３６ｂも構成されている。」と、
　（１ｃ）公報第５頁左上欄第１２行乃至右上欄第９行には、　
「一方、前記通路カバー板３２の後面側には、駆動モータとしてのステッピングモータ４１がモータ取付板４６を介して取り付けられている。すなわち、モータ取付板４６の上下に穿設された取付長穴４７ａ、４７ｂ（４７ｂは、図示せず）を通路カバー板３２に形成したモータ用取付穴４８ａ、４８ｂに対応させて図示しないビスで螺着することにより取り付けられる。・・・また、ステッピングモータ４１の回転軸４２（第１図参照）には、所定間隔離れて２つのスプロケット４３ａ、４３ｂが固着されている。このスプロケット４３ａ、４３ｂの外周には、パチンコ玉の外周面と係合する凹状の爪部４４が複数個形成されている。」と、
　（１ｄ）公報第６頁左上欄第４行乃至第１３行には、　
「なお、上記した制御回路は、カウンタの値が「０」になるまで景品玉払出装置２９のステッピングモータ４１にパルス信号を送り続ける。ステッピングモータ４１は、パルス信号がある毎に所定角度、この場合、パチンコ玉を１個払い出すに必要な角度（この実施例の場合には、爪部４４の位相を異ならせたスプロケット４３ａ、４３ｂが２つあるので、爪部４４の間隔の１／２の角度）だけ回転し、払出制御回路から送られるパルス信号がなくなるまで回転し続ける。」と、それぞれ記載されている。
　
　また、図面には、「内部に供給通路３４ａ、３４ｂが構成される取付板３０・通路区画板３１・通路カバー板３２」、「取付板３０・通路区画板３１・通路カバー板３２内において水平方向の軸線回りに回転可能に組み付けられかつ前記供給通路３４ａ、３４ｂの景品玉をそれぞれ逐一受取って放出するスプロケット４３ａ、４３ｂ」、「供給通路３４ａ、３４ｂを区画形成する複数の構成部材としての取付板３０・通路区画板３１・通路カバー板３２」、「通路カバー板３２には、モータ取付板４６が当該通路カバー板３２とステッピングモータ４１とに当接挟持された状態で前記ステッピングモータ４１が取り付けられ」の技術事項が、示されている。
　
　したがって、引用刊行物１には、
　「景品玉払出装置２９を有する景品玉を払い出すための各種の機構を備えたパチンコ遊技機１であって、
　前記景品玉払出装置２９は、内部に供給通路３４ａ、３４ｂが構成される取付板３０・通路区画板３１・通路カバー板３２と、その取付板３０・通路区画板３１・通路カバー板３２内において水平方向の軸線回りに回転可能に組み付けられかつ前記供給通路３４ａ、３４ｂの景品玉をそれぞれ逐一受取って放出するスプロケット４３ａ、４３ｂと、そのスプロケット４３ａ、４３ｂを回転駆動する回転軸４２を有するステッピングモータ４１と、を備え、
　前記取付板３０・通路区画板３１・通路カバー板３２は、前記供給通路３４ａ、３４ｂを区画形成する複数の構成部材が分離可能に結合されて構成され、
　前記取付板３０・通路区画板３１・通路カバー板３２の複数の部材のうち、通路カバー板３２には、モータ取付板４６が当該通路カバー板３２とステッピングモータ４１とに当接挟持された状態で前記ステッピングモータ４１が取り付けられている、パチンコ遊技機１。」の発明（以下「引用発明１」という。）が、記載されていると認められる。
　　 
　当審の拒絶理由通知に周知・慣用の技術として引用された、実願昭５７−１４３４５０号（実開昭５９−５０５５７号）のマイクロフイルム（以下、「引用刊行物２」という。）の、
　（２ａ）明細書第３頁第６行乃至第９行には、　
「波形鋼板３の板厚を増すと・・・回転電機の冷却に関して伝熱特性が悪くなる等の問題があつた。」と、
　（２ｂ）明細書第３頁第１０行乃至第４頁第１４行には、　
「〔考案の目的〕
　本考案の目的はこの様な問題を除去する為に成されたもので・・・回転電機の固定子枠を提供することにある。
〔考案の実施例〕
　・・・第４図において、３は波形の薄鋼板で固定子鉄心１の外周に巻付固定され、・・・１０と１１は固定子の支え板で・・・更にその先端の水平面には据付用のボルトを貫通させる穴１４がそれぞれ穿かれる。・・・また１７は移動止め用の金具で、・・・波形鋼板３と支え板１０，１１に固着される。」と、
　（２ｃ）明細書第５頁第４行乃至第７行には、　
「また、据付用の脚部１４ａを上下両側に構成した事により、・・・両側の脚を用いて二壁間に据付ける事も可能であり、・・・」と、それぞれ記載されている。　
　また、固定子枠正面図である第４図には「据付用のボルトを貫通させる穴１４が穿かれた据付用の脚部１４ａ」が示されている。
　したがって、引用刊行物２には「固定子鉄心１の外周に巻付固定された冷却用の波形の薄鋼板３には固定子の支え板１０，１１が固着され、該支え板１０，１１の先端には据付用のボルトを貫通させる穴１４がそれぞれ穿かれた据付用の脚部１４ａを構成し、該脚部１４ａを用いて二壁間に据付けられる回転電機。」の発明（以下「引用発明２」という。）が、記載されていると認められる。
　　
　当審の拒絶理由通知に周知・慣用の技術として引用された、実願昭６２−８４５６号（実開昭６３−１１７２６２号）のマイクロフイルム（以下、「引用刊行物３」という。）の
　（３ａ）明細書第２頁第５行乃至第１５行には、　
「（６）は複数個の断面Ｕ字状の金属材をフレーム（１）の外周部に軸方向に放射状に溶着された冷却用放熱フィン、（７）は平板状の金属材を上記冷却用放熱フィン（６）に溶着された電動機の支持部、（７ａ）は支持部（７）に設けられた電動機支持用のねじ穴である。そして上記支持部（７）はフレーム（１）の外周部の冷却用放熱フィン（６）に複数個溶着されて設けられている。
　従来の電動機の支持装置は上記のように構成され、上記支持部（７）のねじ穴（７ａ）によって電動機が取付け固定される。」と、記載されている。
　
　したがって、引用刊行物３には「フレーム（１）の外周部には、断面Ｕ字状の金属製の冷却用放熱フィン（６）が軸方向に放射状に溶着され、該冷却用放熱フィン（６）には電動機支持用のねじ穴（７ａ）が設けられた支持部（７）が溶着され、前記支持部（７）のねじ穴（７ａ）によって電動機が取付け固定される、電動機の支持装置。」（以下「引用発明３」という。）が、記載されていると認められる。
　　
　本願出願前に頒布された、実願昭６１−３４５６３号（実開昭６２−１４９２４３号）のマイクロフィルム（以下、「刊行物４」という。）の、 
　（４ａ）明細書第２頁第１６行乃至第１９行には、
「この考案は・・・モータ放熱効果の優れた樹脂製フレームにおけるモータの放熱構造を提供するものである。」と、
　（４ｂ）明細書第３頁第４行乃至第１１行には、
「すなわち、本考案は、樹脂製フレーム２とモータ１間にＬ型金具（放熱板）３を介在せしめ、・・・このＬ型金具３の底部３ａを筐体の金属ベース５に接合せしめることにより、モータ１の自己発熱を・・・Ｌ型金具３を経て筐体ベース５に放熱せしめたものである。」と、
　（４ｃ）明細書第４頁第２０行乃至第５頁第５行には、
「本考案によれば、放熱板を介在せしめたので、モータを樹脂フレームに装着しても、金属フレームと同等の放熱効果が得られ、・・・。そして、アルミ板等の放熱板の有無による温度差は・・・」と、それぞれ記載されている。 
　
　そして、これらの記載と、側断面図である第１図によれば、刊行物４には以下の発明が記載されていると認められる。
　「モータ１と樹脂製フレーム２との間に、モータ出力軸の直径方向の両側まで延伸させたアルミ板等の放熱板３を介在せしめた、モータの放熱構造。」
　　
　本願出願前に頒布された、特開平２−１６４００号公報（以下、「刊行物５」という。）の 、
　（５ａ）第２頁右下欄第５行乃至第３頁左上欄第１１行には、
「［実施例］
　第１図はこの発明の一実施例を示す遠心式の送風機を示す斜視図・・・である。始めに遠心式の送風機について説明すると、図示の送風機は、底板１にモータ取付孔２を形成した送風機ケーシング３と、この送風機ケーシング３のモータ取付孔２に嵌合固定されたモータ４と、このモータ４の回転軸５に嵌装され、送風機ケーシング３内において回転するシロッコ羽根６と、モータ４と送風機ケーシング３との間に挟持されたアルミニウムよりなる円盤又は円筒状の放熱部材７とからなる。モータ４の外殻４ａは二分割構成で、外周には半径方向に突き出す接合フランジ４ｂがあり、モータ４はこの接合フランジ４ｂにおいて送風機ケーシング３にねじ固定されている。モータ４の送風機ケーシング３への取付けは、接合フランジ４ｂが送風機ケーシング３の内側になるようにして、上記放熱部材７を接合フランジ４ｂと送風機ケーシング３の底板１との間に挟み込みねじ締結することにより行われる。・・・第１図、第２図のものは放熱部材７が円盤状で、送風機ケーシング３に片面が接触している。」と、 
　（５ｂ）第３頁左下欄第１行乃至第７行には、
「上記したいずれの送風機においても、アルミニウムの放熱部材７を送風機ケーシング３へのモータ４の付け時又は、モータ４の外殻４ａの組立て時に取付けるだけで、送風機の全体の寸法を左右することなく、モータ４の外殻４ａの表面積を実質的に著しく拡大し、モータ４の運転に伴う熱を放熱させることができ、・・・」と、それぞれ記載されている。 
　
　そして、これらの記載と、斜視図である第１図及び縦断面図である第２図によれば、刊行物５には以下の発明が記載されていると認められる。
　「モータ回転軸５の直径方向の両側まで延伸されたアルミニウムよりなる円盤状の放熱部材７を、モータ４外周の接合フランジ４ｂと送風機ケーシング３の底板１との間に挟持することにより行われる、モータ４の送風機ケーシング３への取付け構造。」
　
　本願出願前に頒布された、実願昭６０−１２８４４１号（実開昭６２−３６７７９号）のマイクロフィルム（以下、「刊行物６」という。）の、 
　（６ａ）明細書第２頁第４行乃至第６行には、
「〔産業状の利用分野〕
　本考案はパチンコ機の入賞装置に係るものである。」と、 
　（６ｂ）明細書第３頁第７行乃至第１２行には、
「〔実施例〕
　・・・入賞装置を遊技盤に取付けるための取付基板１は、不透明な合成樹脂により板状に形成され、且つその上部の一部２は有色透明な合成樹脂によって形成されており、・・・」と、それぞれ記載されている。
　 
　したがって、これらの記載によれば、刊行物６には以下の発明が記載されていると認められる。 
　「パチンコ機の入賞装置を遊技盤に取付けるための取付基板１であって、不透明な合成樹脂により板状に形成され、その上部の一部２は有色透明な合成樹脂によって形成されている、取付基板１。」　
　　　
　本願出願前に頒布された、実願昭６１−１６４８４８号（実開昭６３−７１０７７号）のマイクロフィルム（以下、「刊行物７」という。）の、 
　（７ａ）明細書第４頁第１２行乃至第１６行には、
「（実施例）
　・・・本例の入賞装置３は・・・その本体４の前面の取付基板５を介して、パチンコ機１の遊技盤２の中央下部に設けられている。」と、 
　（７ｂ）明細書第５頁第１行乃至第２行には、
「この入賞装置３の本体４は不透明合成樹脂よりなるもので、・・・」と、 
　（７ｃ）明細書第６頁第１行乃至第２行には、
「該受け皿部材１６は無色透明の合成樹脂よりなり、」と、 
　（７ｄ）明細書第６頁第１５行乃至第１７行には、
「２５は・・・中板で、例えば赤色透明の合成樹脂からなり、・・・」と、 
　（７ｅ）明細書第９頁第３行乃至第４行には、
「このランプ押え部材４５は透明合成樹脂からなるもので、・・・」と、
　（７ｆ）明細書第１１頁第２行乃至第４行には、
「この開閉扉６２は・・・例えば白色不透明の合成樹脂からなり、」と、 
　（７ｇ）明細書第１１頁第２０行乃至第１２頁第１行には、
「６８は・・・飾り板であって、例えば赤色透明の合成樹脂からなり、・・・」と、それぞれ記載されている。
 
　したがって、これらの記載と図面によれば、刊行物７には以下の発明が記載されていると認められる。 
　「透明合成樹脂からなる受け皿部材１６・中板２５・ランプ押え部材４５・飾り板６８と、不透明合成樹脂からなる本体４・開閉扉６２とを備えた、パチンコ機１の入賞装置３。」　
　　　
第４．対比・検討　
　本願発明と引用発明１とを比較する。
　引用発明１の「景品玉払出装置２９」は本願発明の「球払い出しユニット」に相当し、以下同様に、「景品玉を払い出すための各種の機構」は「払い出し制御装置」に、「パチンコ遊技機１」は「遊技機」に、「供給通路３４ａ、３４ｂ」は「複数列の球通路」に、「取付板３０・通路区画板３１・通路カバー板３２」は「ユニットベース」に、「景品玉」は「球」に、「スプロケット４３ａ、４３ｂ」は「球送り部材」に、「回転軸４２」は「出力軸」に、「ステッピングモータ４１」は「払い出しモータ」に、それぞれ相当する。また、「ユニットベース」に相当すると認定した「取付板３０・通路区画板３１・通路カバー板３２」は「複数の構成部材」から構成されているから、「通路カバー板３２」は「１つの構成部材」といえる。次に、引用発明１の「モータ取付板４６」と本願発明の「放熱板」とを比較すると、「介在部材」において共通する。
　したがって、両者の一致点及び相違点は次のとおりである。
　
　一致点
　球払い出しユニットを有する払い出し制御装置を備えた遊技機であって、
　前記球払い出しユニットは、内部に複数列の球通路が構成されるユニットベースと、そのユニットベース内において水平方向の軸線回りに回転可能に組み付けられかつ前記複数列の球通路の球をそれぞれ逐一受取って放出する球送り部材と、その球送り部材を回転駆動する出力軸を有する払い出しモータと、を備え、
　前記ユニットベースは、前記複数列の球通路を区画形成する複数の構成部材が分離可能に結合されて構成され、
　前記ユニットベースの複数の構成部材のうち、１つの構成部材には、介在部材が当該構成部材と前記払い出しモータとに当接挟持された状態で前記払い出しモータが取り付けられている、遊技機。
　
　相違点
　（Ａ）介在部材が、本願発明では払い出しモータの出力軸が貫挿される金属製の放熱板であるのに対し、引用発明１ではモータ取付板である点　　
　（Ｂ）本願発明では、ユニットベースは、透明合成樹脂材によって構成される一方、球送り部材は、不透明合成樹脂材によって形成されているのに対し、引用発明１では、それらの材料が明らかでない点　　
　
　そこで、上記相違点（Ａ）について検討する。
　金属製の放熱板を介在させてモータを取り付ける技術は、例えば、引用発明２に示された「冷却用の波形の薄鋼板３（本願発明の「金属製の放熱板」に相当）に固着された支え板１０，１１の先端に構成された脚部１４ａを用いて二壁間に据付けられる回転電機。」及び引用発明３に示された「金属製の冷却用放熱フィン（６）（本願発明の「金属製の放熱板」に相当）には支持部（７）が溶着され、前記支持部によって電動機が取付け固定される、電動機の支持装置。」のように周知・慣用の技術（以下、「周知慣用技術１」という。）である。また、モータ出力軸の直径方向の両側まで延伸させた金属製の放熱板を介してモータを取り付ける技術は、例えば、刊行物４に示された「アルミ板等の放熱板３を介在せしめた、モータの放熱構造。」および刊行物５に示された「アルミニウムよりなる放熱部材７を挟持するモータ４の取付け構造。」のように周知・慣用の技術である。そして、放熱板とモータの出力軸との関連をどのようなものとするかは組立作業の容易性や放熱効率などを考慮して、当業者が適宜決定できる設計上の事項であるから、前記周知慣用技術１を引用発明１のモータ取付手段に適用する際に、放熱板の構成をモータの出力軸が貫挿されるような構成とし、相違点（Ａ）に係る構成とすることは当業者が容易になし得ることである。
　上記相違点（Ｂ）について検討する。
　遊技機の構成部材を透明合成樹脂材及び不透明合成樹脂材によって構成・形成することは、例えば、刊行物６に示された「上部の一部２が透明な合成樹脂によって形成されている、不透明な合成樹脂により形成されている取付基板１。」及び刊行物７に示された「透明合成樹脂からなる部材と、不透明合成樹脂からなる部材とを備えた、入賞装置３。」のように周知・慣用の技術である。そして、当該周知・慣用の技術を、遊技機の構成部材で共通する引用発明１のユニットベース及び球送り部材に適用し、相違点（Ｂ）に係る構成とすることは当業者が容易になし得ることである。
　
　また、効果の点においても、引用発明１及び周知・慣用の技術と比較して格別の効果を奏するものとは認められない。 
 　　　　
第５．むすび
　以上のとおり、本願発明は、当審の拒絶理由通知に引用された引用発明１及び周知・慣用の技術に基づいて当業者が容易に発明をすることができたものであるから、本願の他の請求項に係る発明について検討するまでもなく、特許法第２９条第２項の規定により、特許を受けることができない。
　
　よって、結論のとおり審決する。